(57)【要約】【課題】小型化しても、送受信性能の向上または安定動作が可能な電子装置を提供する。【解決手段】電子装置としての電子腕時計１は、情報を表示する液晶パネル部４と、液晶パネル部４の一方の側に配置される配線基板２０と、配線基板２０の液晶パネル部４と反対側に配置され、誘電体板２ｂと誘電体板２ｂの一方の面に配置されたグランド電極２ｃ（第１導電層）と他方の面に配置された放射電極２ａ（第２導電層）とを有し、電波の送信または受信の少なくとも一方を行うためのアンテナ部２と、アンテナ部２の配線基板２０と反対側に配置され、電力を供給するための電池１８と、を備え、グランド電極２ｃは、誘電体板２ｂの配線基板２０に近い側の面に位置して配線基板２０の接地電位に接続され、放射電極２ａは、誘電体板２ｂの配線基板２０から遠い側の面に位置して配線基板２０の信号電位に接続されていることを特徴とする。【選択図】図２
2013247598.tif 000002
【特許請求の範囲】
【請求項１】
情報を表示する表示体部と、
前記表示体部の一方の側に配置される配線基板と、
前記配線基板の前記表示体部と反対側に配置され、板状の誘電体と、前記誘電体の一方の面に配置された第１導電層と、他方の面に配置された第２導電層と、を有し、電波の送信または受信の少なくとも一方を行うためのアンテナ部と、
前記アンテナ部の前記配線基板と反対側に配置され、電力を供給するための電池と、を備え、
前記第１導電層は、前記誘電体の前記配線基板に近い側の面に位置して前記配線基板の接地電位に接続され、前記第２導電層は、前記誘電体の前記配線基板から遠い側の面に位置して前記配線基板の信号電位に接続されていることを特徴とする電子装置。
【請求項２】
情報を表示する表示体部と、
前記表示体部の一方の側に配置され、板状の誘電体と、前記誘電体の一方の面に配置された第１導電層と、他方の面に配置された第２導電層と、を有し、電波の送信または受信の少なくとも一方を行うためのアンテナ部と、
前記アンテナ部の前記表示体部と反対側に配置される配線基板と、
前記配線基板の前記アンテナ部と反対側に配置され、電力を供給するための電池と、を備え、
前記第１導電層は、前記誘電体の前記配線基板に近い側の面に位置して前記配線基板の接地電位に接続され、前記第２導電層は、前記誘電体の前記配線基板から遠い側の面に位置して前記配線基板の信号電位に接続されていることを特徴とする電子装置。
【請求項３】
請求項１または２に記載の電子装置において、
前記アンテナ部の前記誘電体の形状と、前記第１導電層および前記第２誘電層の少なくとも一方の形状とは、ｎ個（ｎは０，１，２，３，４のいずれか）の角を欠いた長方形であり、少なくとも前記長方形の短辺は、前記表示体部上または配線基板上に形成されている導体部のうち、大きいほうの外縁から前記電波の１００分の２波長の長さだけ内側に入った位置よりも外側に配置されている、ことを特徴とする電子装置。
【請求項４】
請求項１乃至３のいずれか一項に記載の電子装置において、
前記表示体部、前記配線基板、前記アンテナ部のいずれかが有する最大の外形よりも大きな導電体をさらに有し、前記導電体は、前記電池の前記配線基板が配置されている側とは反対側に配置されている、ことを特徴とする電子装置。
【発明の詳細な説明】
【技術分野】
【０００１】
本発明は、アンテナ機能を有する装置を内蔵し、主に人や動物に装着して使用する電子装置に関する。
【背景技術】
【０００２】
従来、アンテナ機能を内蔵し腕に装着して用いる電子装置の例として、特許文献１に示す携帯用受信装置が開示されている。この携帯用受信装置は、表裏両面間に電磁遮蔽層が介挿されたサンドイッチ構造の配線基板における一方の面に、受信回路の一部を構成するデジタル回路部と受信アンテナとを有し、配線基板の他方の面に、配線基板を介して受信アンテナと対向し受信回路の他の一部を構成するアナログ回路部を有している。この構成の携帯用受信装置では、ノイズの影響を受け易いアナログ回路部が、高周波デジタルノイズの発生源となるデジタル回路部に対して、配線基板に介挿された電磁遮蔽層で電磁遮蔽されており、この電磁遮蔽により、デジタル回路部からアナログ回路部へのノイズ成分のリークや混入等が効果的に抑制される。そのため、携帯用受信装置は、デジタル回路部とアナログ回路部とを近接配置して、実装密度を高めて小型化することができ、さらに、ノイズの影響が低減または除去されることにより、受信性能の向上が図れる。
【先行技術文献】
【特許文献】
【０００３】
【特許文献１】特開平１０−１９７６６２号公報
【発明の概要】
【発明が解決しようとする課題】
【０００４】
しかし、従来の技術においては、デジタル回路部の影響を抑制して、携帯用受信装置の小型化を達成することは可能であるが、更なる小型化を図る場合、特許文献１に示す一般的な構成、即ち受信アンテナの側に液晶パネル等の表示体部をフラットケーブルで接続して配置する構成、では、受信アンテナが液晶パネルまたはフラットケーブルの影響を受けて、インピーダンスが変動し放射効率の劣化等が生じる、という課題があった。
【０００５】
また、従来の技術では、アンテナと表示体部およびデジタル回路が平面的に並んで配置されており、表示体部の面積が限定されてしまう、という課題もあった。そのため、高性能および高機能な電子装置においては、表示体部に多量の情報が表示できないばかりか、電子装置における外装ケースの外観デザイン上も大きな制約を受けることになっていた。これは、従来の受信アンテナが電波を受信するために、外装ケースの表面近くに配置されなければならない、という技術的な制約によるものである。さらに、人体や動物に装着して用いられる電子装置においては、その装着状態によってアンテナの送受信特性が大きく変動するようなことがあってはならない。
【課題を解決するための手段】
【０００６】
本発明は、上述の課題の少なくとも一部を解決するためになされたものであり、以下の適用例または形態として実現することが可能である。
【０００７】
［適用例１］本適用例に係る電子装置は、情報を表示する表示体部と、前記表示体部の一方の側に配置される配線基板と、前記配線基板の前記表示体部と反対側に配置され、板状の誘電体と、前記誘電体の一方の面に配置された第１導電層と、他方の面に配置された第２導電層と、を有し、電波の送信または受信の少なくとも一方を行うためのアンテナ部と、前記アンテナ部の前記配線基板と反対側に配置され、電力を供給するための電池と、を備え、前記第１導電層は、前記誘電体の前記配線基板に近い側の面に位置して前記配線基板の接地電位に接続され、前記第２導電層は、前記誘電体の前記配線基板から遠い側の面に位置して前記配線基板の信号電位に接続されていることを特徴とする。
【０００８】
本適用例の上記電子装置によれば、アンテナ部は、板状の誘電体と、誘電体の一方の面に配置された第１導電層と、他方の面に配置された第２導電層と、によって構成されており、表示体部の一方の面側に順に配置されている配線基板と電池との間に重ねて配置することができる。これにより、電子装置の上面側のほとんどを表示体部によって占めることが可能となり、大量の情報表示が可能となる。また、電池は、取り替えが必要なことからケースの表面近くに置くことが好ましく、ここでは、電子装置の外装ケースの表面近くに置くべき表示体部および電池に挟まれてアンテナ部や配線基板が置かれている構成であり、電池の出し入れが容易にできる。また、この構成によれば、表示体部と配線基板とが接近されて置かれるので、それらの間の多量の配線が容易になる。しかも、アンテナ部とノイズを発生しやすい表示体部と、の間に適当なシールド層を設けることが可能となり、表示体部によって発生するノイズがアンテナ部に回り込むのを防ぐことができる。さらに、電子装置では、動作周波数において、接地電位にある第１導電層と信号電位にある第２導電層とが、アンテナ部の誘電体を挟んで分離されている。即ち、動作周波数では、表示体部とアンテナ部の配線基板に近い側の第１導電層とは、配線基板の接地電位となり、アンテナ部の配線基板から遠い側の第２導電層電極は、配線基板の信号電位となる。このように上記構成によれば、電子装置において、アンテナ部の第１導電層および第２導電層の両者をまたいで配線され、それぞれの電位を短絡するような配線数を最小にすることができ、アンテナ部の第１導電層および第２導電層に誘起される電磁界分布の乱れが最小となる。これにより、アンテナ部の性能を最大限に引き出した高機能の電子装置が、実現可能となる。
【０００９】
［適用例２］本適用例に係る電子装置は、情報を表示する表示体部と、前記表示体部の一方の側に配置され、板状の誘電体と、前記誘電体の一方の面に配置された第１導電層と、他方の面に配置された第２導電層と、を有し、電波の送信または受信の少なくとも一方を行うためのアンテナ部と、前記アンテナ部の前記表示体部と反対側に配置される配線基板と、前記配線基板の前記アンテナ部と反対側に配置され、電力を供給するための電池と、を備え、前記第１導電層は、前記誘電体の前記配線基板に近い側の面に位置して前記配線基板の接地電位に接続され、前記第２導電層は、前記誘電体の前記配線基板から遠い側の面に位置して前記配線基板の信号電位に接続されていることを特徴とする。
【００１０】
本適用例の上記電子装置によれば、アンテナ部は、板状の誘電体と、誘電体の一方の面に配置された第１導電層と、他方の面に配置された第２導電層と、によって構成されており、表示体部と表示体部の一方の面側に配置されている配線基板との間に重ねて配置することができる。これにより、電子装置の上面側のほとんどを表示体部によって占めることが可能となり、大量の情報表示が可能となる。また、電池は、取り替えが必要なことからケースの表面近くに置くことが好ましく、ここでは、電子装置の外装ケースの表面近くに置くべき表示体部および電池に挟まれてアンテナ部や配線基板が置かれている構成であり、電池の出し入れが容易にできる。また、この構成によれば、アンテナ部の第１導電層は、配線基板と対向する側に配置され、配線基板の接地電位に接続されることになる。これによって、腕など人体に電子装置を装着した時に、腕などによる電子装置の動作への影響を減らすことができる。
【００１１】
［適用例３］上記適用例に記載の電子装置において、前記アンテナ部の前記誘電体の形状と、前記第１導電層および前記第２誘電層の少なくとも一方の形状とは、ｎ個（ｎは０，１，２，３，４のいずれか）の角を欠いた長方形であり、少なくとも前記長方形の短辺は、前記表示体部上または配線基板上に形成されている導体部のうち、大きいほうの外縁から前記電波の１００分の２波長の長さだけ内側に入った位置よりも外側に配置されている、ことが好ましい。
【００１２】
この構成によれば、電子装置の表示体部の表示面形状は、長方形であることが望ましく、アンテナ部および配線基板も表示体部と同形にすれば、電子装置の外装ケース内に各要素を効率よく収容することができる。そして、電子装置が略長方形等であり角に丸みを持たせる必要があるときは、適宜アンテナ部や配線基板もそれにあわせ角を切欠けば良い。また、アンテナ部が平面アンテナの場合、アンテナ部の外縁部に生じる磁流がアンテナ性能を決めることになる。この場合、アンテナ部の外縁部が、表示体部や配線基板に形成されている導体部のうち、大きいほうの外縁において、その外縁から、受信する電波の１００分の２波長だけ内側に入った位置よりも外側に配置されていれば、アンテナ部はその性能を維持できることがシミュレーションによって確認されている。よって、この構成によれば、アンテナ性能に影響を与えることなく、コンパクトで外装ケースの外観デザインにも優れた電子装置の実現が可能になる。
【００１３】
［適用例４］上記適用例に記載の電子装置において、前記表示体部、前記配線基板、前記アンテナ部のいずれかが有する最大の外形よりも大きな導電体をさらに有し、前記導電体は、前記電池の前記配線基板が配置されている側とは反対側に配置されている、ことが好ましい。
【００１４】
この構成によれば、電子装置に設けた導電体は、例えば接地電位を確実なものとする等の作用をなし、電子装置の動作をより安定なものとすることができる。この導電体は、金属等の導電性のある材料により、電子装置の外装ケースの一部を形成する構成も考えられる。
【図面の簡単な説明】
【００１５】
【図１】ＧＰＳシステムの概要を示す模式図。
【図２】実施形態１の電子腕時計におけるアンテナ部を含む構成を示す断面図。
【図３】（ａ）液晶パネル部の構成を示す平面図、（ｂ）液晶パネル部の構成を示す断面図。
【図４】電子腕時計の回路構成を示すブロック図。
【図５】（ａ）アンテナ部をグランド電極側から見た平面図、（ｂ）アンテナ部への給電構成を示す断面図、（ｃ）アンテナ部の放電電極における励振モードを示す平面図。
【図６】実施形態２の電子腕時計におけるアンテナ部を含む構成を示す断面図。
【発明を実施するための形態】
【００１６】
以下、本発明の電子装置における、好適な一例について、添付図面を参照して説明する。ここでは、位置情報衛星等からの電波による測位用信号等を受信して利用する、通信システムに適応した電子装置を例にして、その概要について説明する。この通信システムは、いわゆるＧＰＳ（Global  Positioning  System）システムである。
【００１７】
図１は、ＧＰＳシステムの概要を示す模式図である。図１に示すように、ＧＰＳ衛星９０は、地球の上空の所定の軌道上を周回している位置情報衛星であり、例えば１．５７５４２ＧＨｚのマイクロ波に航法メッセージ等を重畳させた、衛星信号を地上に送信している。このＧＰＳ衛星９０は原子時計を搭載しており、衛星信号には原子時計で計時された極めて正確な時刻情報であるＧＰＳ時刻情報が含まれている。そのため、ＧＰＳ受信機としての機能を備えた電子腕時計（電子装置）１は、衛星信号を受信して、内部時刻の進みまたは遅れを修正することにより、正確な時刻を表示することができる。この修正は、測時モードとして行われる。
【００１８】
また、衛星信号にはＧＰＳ衛星９０の軌道上の位置を示す軌道情報等も含まれている。つまり、電子腕時計１は、測位計算を行うこともでき、通常、４つ以上のＧＰＳ衛星９０からそれぞれ送信された衛星信号を受信することによって、それら中に含まれる軌道情報およびＧＰＳ時刻情報を使用して測位計算を行なう機能等を有している。測位計算により、電子腕時計１は、現在位置に合わせて時差を修正すること等が容易にでき、この修正は、測位モードとして行なわれる。このほか、衛星信号を利用すれば、現在位置表示、移動距離測定、移動速度計測を行なう等の各種応用が可能であり、電子腕時計１では、これらの情報を、表示体部である液晶パネル部４によりデジタル表示することが可能である。
（実施形態１）
【００１９】
実施形態１では、ＧＰＳ受信機能を備えた電子腕時計１について、その構成の一例を説明する。図２は、実施形態１の電子腕時計におけるアンテナ部を含む構成を示す断面図であり、図４は、電子腕時計の回路構成を示すブロック図である。なお、図２では、その構造、特に縦方向（厚み方向）の構造がよくわかるように縦、横の方向で縮尺を変えてある。図２および図１に示すように、ＧＰＳ受信機能付きの電子腕時計１は、プラスティック（ポリカーボネート樹脂）等、導電性がなく電波を通しやすい材料で形成された外装ケース１１と、外装ケース１１を腕８に装着するためのベルト１９と、を備えている。外装ケース１１は、時刻等の情報を視認する側である表面側の開口に取り付けられたガラス１２と、電子腕時計１が装着される腕８の側である裏面側に取り付けられた裏蓋１３と、外装ケース１１の側面に設けられたボタン１６ａ，１６ｂ，１６ｃ（図１）と、を有している。外装ケース１１は外観が略円筒状を成しているが、概略直方体状（角および辺に丸みをつけた直方体状）であっても良く、特に液晶パネル等によるデジタル表示の場合は、見切り形状にあわせ直方体状の形状となることが多い。これらボタン１６（１６ａ，１６ｂ，１６ｃ）は、手動操作により、液晶パネル部４への表示の設定等ができるように構成されている。
【００２０】
外装ケース１１の内部には、時刻を刻む等の処理をするための駆動機構と、情報の処理および処理された情報を表示するための処理機構等と、を有していて、これら各機構等を支持する支持枠１５が設けられている。支持枠１５は、その表面側から順に、時刻等の諸情報を示すための液晶パネル部４と、図４を参照して後述する受信モジュール３０や制御部４０等を裏面側に有し、不図示の他基板との中で最も液晶パネル部４の側に位置する配線基板２０と、受信モジュール３０や制御部４０等をシールドしているシールド部２１と、ＧＰＳ衛星９０からの電波を受信するためのアンテナ部２と、電子腕時計１の電力供給源である電池１８と、をそれぞれ支持している。また、電子腕時計１では、アンテナ部２、液晶パネル部４および配線基板２０は、ほぼ同じ大きさ、即ち略合同をなす矩形形状であり、外周が略円形状の支持枠１５の内側に収容されている。この支持枠１５の外周には、外装ケース１１との位置合わせ用の突起（不図示）が設けられ、液晶パネル部４が、外装ケース１１に対して、所定の位置に設置されるようになっている。なお、アンテナ部２、液晶パネル部４および配線基板２０は、同じ大きさおよび形状、即ち合同をなしていれば、実装効率が高まりより好ましい。
【００２１】
そして、液晶パネル部４は、配線基板２０を挟んでアンテナ部２と反対側に配置され、フレキシブル基板４ｎを介して配線基板２０に搭載された駆動回路４４（図４）に接続されている。また、アンテナ部２は、電池１８の側から順に、電極（第２導電層）２ａ、板状の誘電体板（誘電体）２ｂ、電極（第１導電層）２ｃを有し、電極２ａは、誘電体板２ｂに設けられたスルーホールを通して電極２ｃの側の受給電点４ｋへ導通している。アンテナ部２と受信モジュール３０（図４）との接続は、同軸ケーブル２５を介して行われる。受給電点４ｋには、同軸ケーブル２５の一端の芯線が接続され、また、同軸ケーブル２５の外皮は、電極２ｃ上の受給電点４ｋの周辺近傍に接続されている。同軸ケーブル２５の他端の芯線は、コネクター２６を介して受信モジュール３０の高周波信号を入力する信号端子３６を通してＳＡＷフィルター３５に接続され、また外皮は、コネクター２６を介して配線基板２０の接地電位に接続される。
【００２２】
アンテナ部２は、受給電点４ｋが配線基板２０と対向するような配置になっているため、アンテナ部２と配線基板２０との接続が容易な構成である。また、アンテナ部２の大きさが限定されるとき、電極２ｃ、誘電体板２ｂ、電極２ａが同じ大きさである場合において、アンテナの共振周波数が最低となる。よって、電極２ｃと電極２ａが同じ大きさの場合、最もアンテナ部２のサイズが小型となり好ましいが、電極２ｃが電極２ａより大きい設定、あるいはその逆であっても良い。これは、アンテナ部２の共振周波数を微調整するときに応用できる。また、外装ケース１１が導電性を持つときは、誘電体板２ｂの外縁と外装ケース１１との間には、当該共振周波数における電磁波波長の１／２００以上の隙間を設ければ特性上好ましいことがシミュレーションによって確認されている。
【００２３】
また、矩形形状をなすアンテナ部２の少なくとも短辺縁は、配線基板２０または液晶パネル部４のいずれか大きいほうの外縁より電磁波波長の２／１００以上内側に置いてはならない。そして、電池１８もアンテナ部２の外縁を隠すことが無いように配置すべきである。なお、アンテナ部２の詳細構成および受信機能等については、後で図５を参照して詳細に説明する。
【００２４】
次に、液晶パネル部４について説明する。図３（ａ）は、液晶パネル部の構成を示す平面図であり、図３（ｂ）は、液晶パネル部の構成を示す断面図である。図３（ｂ）は、図３（ａ）のＰ−Ｐ’に沿った断面図である。これら図３（ａ）および図３（ｂ）において、液晶パネル部４は、透明基板４ａと、透明基板４ａと対をなす対向基板４ｂとが、封止材であるシール材４ｃによって貼り合わされている構成である。つまり、シール材４ｃは、両基板面内において、閉ざされた空間領域を形成している。
【００２５】
そして、液晶パネル部４は、シール材４ｃによる枠状領域の内側に、モザイク状等をなし透明基板４ａの表面に配置されている複数の画素電極（画素）４ｄと、各画素電極４ｄをスイッチング制御するＴＦＴ（Thin  Film  Transistor）４ｅと、対向基板４ｂにおける透明基板４ａ側の面に画素電極４ｄに対向して配置されている平面状の対向電極４ｆと、画素電極４ｄおよび対向電極４ｆを覆うように形成されている配向膜４ｇと、シール材４ｃおよび配向膜４ｇによって区画された領域内に封入保持されている液晶４ｈと、透明基板４ａにおけるＴＦＴ４ｅと反対側に設けられ液晶４ｈの方向へ向けて白色の光１０を発光する光源部４ｊと、を有している。これら画素電極４ｄ、対向電極４ｆおよび配向膜４ｇは、透明な部材により形成されている。液晶４ｈは、ＴＦＴ４ｅによりスイッチング制御された画素電極４ｄに対応して、光源部４ｊからの光１０を透過または遮断することにより、各種情報の表示をする。即ち、液晶パネル部４は、いわゆる透過型液晶表示装置である。また、液晶パネル部４は、端子部４ｍを介して、外部との接続用のフレキシブル基板４ｎを有し、フレキシブル基板４ｎは、配線基板２０（図２）の液晶パネル部４側の面に接続されている。ここでは、光源部４ｊとして、有機ＥＬ（有機エレクトロルミネッセンス）を用いて、画素電極４ｄを介して液晶４ｈへ給光している。なお、画素電極４ｄを廃止することも可能であって、その場合、画素電極４ｄのあった位置へ有機ＥＬをそれぞれ配置し、これら有機ＥＬを個々にスイッチング制御する構成となる。さらに光源部４ｊは、例えば光源ランプの光を導光板で液晶４ｈの全面に対して導く構成のものも考えられる。
【００２６】
なお、液晶パネル部４においては、使用する液晶４ｈの種類、つまり、ＴＮ（Twisted  Nematic）モード、ＳＴＮ（Super  Twisted  Nematic）モード等の動作モードや、ノーマリホワイトモードまたはノーマリブラックモードの表示種別に応じて、位相差板、偏光板等が所定の向きに配置されるが、ここでは図示を省略してある。また、液晶パネル部４をカラー表示用として構成する場合には、対向基板４ｂにおいて、各画素電極４ｄに対向する領域に、赤（Ｒ）、緑（Ｇ）、青（Ｂ）のフィルターを設ければよい。さらに、液晶パネル部４において、光源部４ｊの替わりに反射板を設け、対向基板４ｂ側からの光を反射する構成、いわゆる反射型液晶表示装置の形態、とすることも可能である。
【００２７】
次に、ＧＰＳ受信機能を備えた電子腕時計１の回路構成について説明する。図４に示すように、電子腕時計１は、アンテナ部２と、受信モジュール３０と、制御部４０を含む表示部８０と、電池１８と、を含んで構成されている。
【００２８】
受信モジュール３０は、アンテナ部２が接続されており、ＳＡＷ（Surface  Acoustic  Wave：表面弾性波）フィルター３５と、ＲＦ（Radio  Frequency：無線周波数）部５０と、ベースバンド部６０と、を含んで構成されている。ＳＡＷフィルター３５は、アンテナ部２が受信した電波から衛星信号を抽出する処理を行う。ＲＦ部５０は、ＬＮＡ（Low  Noise  Amplifier）５１と、ミキサー５２と、ＶＣＯ（Voltage  Controlled  Oscillator）５３と、ＰＬＬ（Phase  Locked  Loop）回路５４と、ＩＦ（Intermediate  Frequency：中間周波数）アンプ５５と、ＩＦフィルター５６と、ＡＤＣ（Ａ／Ｄ変換器）５７と、を含んで構成されている。
【００２９】
ＳＡＷフィルター３５が抽出した衛星信号は、ＬＮＡ５１で増幅され、ミキサー５２でＶＣＯ５３が出力する局所信号とミキシングされて中間周波数帯の信号にダウンコンバートされる。ＰＬＬ回路５４は、ＶＣＯ５３の出力する局所信号を分周した信号と安定な基準クロック信号とを位相比較してＶＣＯ５３の出力する局所信号を基準クロック信号に同期させ、局所信号の安定化を図る。ミキサー５２でミキシングされた信号は、ＩＦアンプ５５で増幅され、ＩＦフィルター５６で不要信号が除去される。ＩＦフィルター５６を通過した信号は、ＡＤＣ（Ａ／Ｄ変換器）５７でデジタル信号に変換される。ベースバンド部６０は、ＤＳＰ（Digital  Signal  Processor）６１と、ＣＰＵ（Central  Processing  Unit）６２と、ＳＲＡＭ（Static  Random  Access  Memory）６３と、ＲＴＣ（Real  Time  Clock）６４と、を含んで構成されている。また、ベースバンド部６０には、温度補償回路付き水晶発振回路（ＴＣＸＯ：Temperature  Compensated  Crystal  Oscillator）６５やフラッシュメモリー６６等が接続されている。
【００３０】
温度補償回路付き水晶発振回路（ＴＣＸＯ）６５は、温度に関係なくほぼ一定の周波数の基準クロック信号を生成し、フラッシュメモリー６６には、現在位置情報や時差情報等が記憶されている。ベースバンド部６０は、測時モード等に設定されると、ＲＦ部５０のＡＤＣ５７が変換したデジタル信号からベースバンド信号を復調する処理を行う。また、ベースバンド部６０は、捕捉したＧＰＳ衛星９０の航法メッセージに含まれる軌道情報やＧＰＳ時刻情報等の衛星情報を取得してＳＲＡＭ６３に記憶する。
【００３１】
表示部８０は、制御部４０および水晶振動子４３等を含んで構成されている。制御部４０は、記憶部４１と、発振回路４２と、駆動回路４４とを備え、各種制御を行う。制御部４０は、受信モジュール３０を制御し、制御信号を受信モジュール３０に送り、受信モジュール３０の受信動作を制御すると共に、制御部４０内の駆動回路４４を介して液晶パネル部４の表示を制御する。記憶部４１には内部時刻情報をはじめ各種情報が記憶されている。
【００３２】
制御部４０、ＣＰＵ６２、ＤＳＰ６１は、協働して測時や測位情報を算出し、それらの情報に基づいて時刻、現在位置、移動距離、移動速度などの情報を割り出す。また制御部４０は、これらの情報の液晶パネル部４への表示の制御や、ボタン１６の操作にしたがって電子腕時計１の動作モードや表示モードの設定等の制御を行う。現在位置を地図上に表示するナビゲーションなどの高度な機能を持たせることも可能である。
【００３３】
電池１８は、回路の動作や表示に必要なエネルギーを供給する。電池１８からのエネルギー供給はフィルター１７を通して行われる。このフィルター１７は、受信信号周波数帯域を阻止する帯域阻止フィルターであり、受信信号周波数において電池１８に誘起される受信信号周波数の信号を阻止する。多くの場合、電池１８から回路、即ち受信モジュール３０や表示部８０への配線には、細い線が用いられている。この細い線には、受信信号のような高周波を伝送する能力がなく帯域阻止フィルターの働きも配線に兼ね持たせることができる。このような時は、配線にその働きを持たせてフィルター１７を省略できる。
【００３４】
ここで、電子腕時計１に内蔵されているアンテナ部２は、複数のＧＰＳ衛星９０（図１）からの衛星信号を受信する必要がある。ＧＰＳ衛星９０から送信される衛星信号の電波は、いわゆる円偏波であるため、アンテナ部２は、この円偏波を受信するのに適したアンテナであることが望ましく、さらに、電子腕時計１に組み込めるように、コンパクトな形態であることが好ましい。この電子腕時計１では、以下に説明するようなコンパクトな形態のアンテナ部２と配線基板２０とが、液晶パネル部４と電池１８との間に挟まれて配置されていることになる（図２）。
【００３５】
そして、図５（ａ）は、アンテナ部２を配線基板２０に近い側から見た平面図、図５（ｂ）は、アンテナ部への給電構成を示す断面図、図５（ｃ）は、アンテナ部で腕８に近い側の電極における励振モードを示す平面図である。従来のパッチアンテナは、広いグランド電極とグランド電極側から誘電体板２ｂを貫通して給電される放射電極とによって構成される。本実施形態で用いるアンテナ部２は、この従来のパッチアンテナのグランド電極と放射電極および誘電体板２ｂは形状および大きさをほぼ同じとしたものであり、従来のパッチアンテナのように電極をグランド電極／放射電極のように区別することができない。しかし、便宜的に図５（ａ）に示した面、即ち反対側の面の電極（既述した電極２ａ）が引き出されている側の電極（既述した電極２ｃ）をグランド電極２ｃと呼び、その反対側の面にある電極２ａを放射電極２ａと呼ぶことにする。放射電極２ａは、スルーホールを通してグランド電極２ｃ側に引き出されている。アンテナ部２は、放射電極２ａと、放射電極２ａと対向して位置するグランド電極２ｃと、放射電極２ａとグランド電極２ｃとに挟持された誘電体板２ｂと、を有している。
【００３６】
アンテナ部２のグランド電極２ｃの側には、放射電極２ａから誘電体板２ｂを挿通して放射電極２ａと接続された受給電点４ｋが設けられている。受給電点４ｋは、この場合、１ｍｍの円形であって、グランド電極２ｃとは絶縁された状態になっている。また、誘電体板２ｂをスルーホールを通して挿通する部分は、直径０．５ｍｍの円柱状をなしている。この受給電点４ｋには、同軸ケーブル２５の芯線を接続する。またグランド電極２ｃには、受給電点４ｋ近傍を取り囲むようにして、同軸ケーブル２５の外皮が接続されている。また、同軸ケーブル２５の他端では、その芯線が配線基板２０の信号端子３６に接続され、外皮が配線基板２０の接地電位に接続されることにより、アンテナ部２と受信モジュール３０との接続を取っている。従って、受給電点４ｋを介して、放射電極２ａは配線基板２０の信号端子３６に接続される。また、アンテナ部２のグランド電極２ｃは、配線基板２０上の導体部で最も占有面積の大きい接地電位に接続される。
【００３７】
放射電極２ａは、１つの角部に三角形状の切欠部４ｐを有する矩形状（略四角形）であって、通常、銅・アルミニウム・鉄・金・銀・パラジウム・酸化インジュウムスズ（ＩＴＯ：Indium  Tin  Oxide）等の導体またはこれらの合金であれば機能するが、この場合、１０μｍの厚さの銅（Ｃｕ）めっきによって、誘電体板２ｂ上の表面に形成されている。同時に、誘電体板２ｂを挿通するスルーホールの部分も、銅（Ｃｕ）めっきによって形成されている。そして、放射電極２ａにおいては、切欠部４ｐの近傍の銅（Ｃｕ）めっきを部分的に削り取ったトリミング部４ｔを設けることにより、個別の周波数調整を容易に行なうことが可能である。また、グランド電極２ｃは、放射電極２ａとほぼ同じ矩形状であって、１０μｍの厚さの銅（Ｃｕ）めっきによって、受給電点４ｋを含めて、同時に形成されている。このように、受給電点４ｋがグランド電極２ｃの側にあれば、電波を受信する放射電極２ａの面積を最大限にすることができる。また、同軸ケーブル２５の長さを最小にして配線基板２０にある受信信号の入力部、すなわちＳＡＷフィルター３５に接続することができ、同軸ケーブル２５による損失や線の引き回しによるアンテナ部２近傍の電磁界分布への影響を最小限としアンテナ性能を良好に保つことができる。
【００３８】
誘電体板２ｂは、放射電極２ａとほぼ同じ大きさの矩形状であって、使用可能な材質としては、アルミナ（Ａｌ2Ｏ3）、ムライト（３Ａｌ2Ｏ3・２ＳｉＯ2）、ステアライト（ＭｇＯ／ＳｉＯ2）、フォルステライト（２Ｍｇ2Ｏ／ＳｉＯ2）、ジルコニア（ＰＳＺ）、チタン酸マグネシア（ＭｇＴｉＣＯ3）等が挙げられる。この誘電体板２ｂの特性としては、誘電率が８以上２２以下が望ましく、誘電正接が０．００１以下が望ましい。そこで、これらの特性を得るために、電子装置における誘電体板２ｂのサイズは、電子腕時計１のような矩形状の場合には一辺が２ｃｍ〜４ｃｍであることが望ましい。参考に、誘電体板２ｂが円形である場合には直径が２．５ｃｍ〜３．５ｃｍであることが望ましい。また、いずれの場合でも、厚さは、０．０５ｍｍ〜１．５ｍｍであることが望ましい。電子腕時計１において、アンテナ部２の誘電体板２ｂは、厚さ０．８ｍｍ、短辺２．７ｃｍおよび長辺３．２ｃｍの矩形状をなすアルミナ（Ａｌ2Ｏ3）を用いていて、この場合のアルミナ（Ａｌ2Ｏ3）は、誘電率が９．６および誘電正接が０．０００１４の特性を有している。また、切欠部４ｐは、短辺側３ｍｍ、長辺側３．５ｍｍに切り欠いた設定である。この切欠部４ｐは誘電体板２ｂの四つある角のうちの任意の数、すなわち０〜４の箇所に設けることができる。特にデジタル表示の場合はデザイン上、角の取れた矩形が好まれる。この場合四隅に切欠部４ｐを設けることにより優れた外装デザインの電子装置を実現できる。
【００３９】
次に、このような構成のアンテナ部２による、ＧＰＳ衛星９０からの測位用信号を含む電波の受信について説明する。ＧＰＳ衛星９０からの電波は、受信する対象が、移動体のように任意の方向を向いていても受信可能となるように、円偏波が用いられている。円偏波は、時間の経過と共に電界の方向が回転する形態のものである。一般に、アンテナは、電波の電界方向と同じ方向に電流が流れることにより、該電波を受信することができる。従って、円偏波を受信するためには、アンテナに流れる電流を時間の経過と共に、回転させることが肝要である。アンテナに流れる電流が回転するためには、直交する方向に電流を流し９０度の位相差を持った励振を発生させれば良い。アンテナ部２では、放射電極２ａにおいて、以下に説明するようにして、互いに直交し９０度の位相差を持った、２つの励振モードを発生させることにより、円偏波の受信を可能にしている。
【００４０】
図５（ｃ）に示すように、アンテナ部２は、受給電点４ｋの部分において受電するピン給電方式である。この方式は、受電系に特別な回路素子等を用いることなく励振モードを発生させることができ、円偏波の受信が容易に行える簡便なものである。このような配置のアンテナ部２において電波を受信すると、長辺方向に励振モードＦ１の電流が流れ、励振モードＦ１と直交する方向、即ち短辺方向に励振モードＦ２の電流が流れる。逆に言えば、アンテナ部２の構成によって、上記のような励振モードＦ１，Ｆ２が発生するように、受給電点４ｋの位置を設定することが可能である。この時、励振モードＦ１と励振モードＦ２との励振は、放射電極２ａの矩形状により異なっており、短辺および長辺の長さやトリミング部４ｔの調整をすることにより、励振モードＦ１と励振モードＦ２とを異なる位相とする等の制御を容易に行なうことができ円偏波の受信ができる。トリミング部４ｔも、放射電極２ａまたはグランド電極２ｃの各四隅のうちの任意の数および箇所に設けることができる。製造時においての調整のしやすさによって、適当な位置および数を選択すればよい。
【００４１】
なお、極端な小型化への要請や機器の外装デザイン上の制約から、アンテナ部２の外形形状を大きな縦横比の長方形に取らざるを得ない場合がある。この場合、励振モードＦ１と励振モードＦ２の共振周波数の差が大きく異なってしまう。このような場合においても、長軸方向の励振モードＦ１の共振周波数を目的の受信周波数に合わせれば、直線偏波の受信が可能となる。もちろん励振モードＦ２に目的の受信周波数を合わせてもよいが、その場合は、アンテナ部２のサイズが大きくなってしまう。Ｆ２に周波数を合わせることができるということは、アンテナサイズに余裕のある場合であり、そのときは円偏波の受信が可能である。
【００４２】
アンテナ部２に電波が到来すると、グランド電極２ｃや放射電極２ａに沿って流れる表面電流が誘起され、この電流により受給電点４ｋに受信信号が得られる。グランド電極２ｃや放射電極２ａに沿って流れる表面電流は、それぞれ２次元の広がりを持った分布をもち、また励振モードＦ１、Ｆ２によってもその分布が異なる。これらの電流分布は、図５（ａ）に示すように、アンテナ部２の外縁に流れる磁流２ｅ、２ｆ、２ｇ、２ｈを仮定することにより一次元の分布に置き換えることができる。励振モードＦ１によって磁流２ｅ、２ｈが、励振モードＦ２によって磁流２ｆ、２ｇが誘起される。これらの磁流の誘起に影響を与えないように、アンテナ部２の外縁は、十分なクリアランスをとることがアンテナ性能を保つ上で重要である。
【００４３】
このクリアランスの量は、シミュレーションおよび実験によって、以下に示す値のように取れば、アンテナ性能に深刻な影響を及ぼさないことを見出した。図２を使ってクリアランスについて説明する。アンテナ部２の外縁から平面方向の外側に距離Δｐおよび外縁から平面方向の内側に距離Δｃ、アンテナ部２のグランド電極２ｃまたは放射電極２ａから高さ方向にΔｅ、の各範囲には、金属等の導電物を置いてはいけない。この範囲に導電物があるとアンテナ性能が著しく劣化する。ここでΔｐとΔｃ、Δｅの具体的な値は、それぞれ受信する電波の波長の２／１００以下、０．５／１００以上、０．５／１００以上である。即ち、アンテナ部２の放射電極２ａまたはグランド電極２ｃの小さいほうの外縁と、それに重ねて置かれる配線基板２０や液晶パネル部４の大きいほうの外縁と、の距離Δｐは、受信する電波の波長の２／１００以下にする必要がある。好ましくは、Δｐ＝０または図２の楕円８１内のΔｐ1のように、Δｐ≦０となるよう配置する。特にΔｐ＝０とするのが実装効率上最も望ましい。さらにアンテナ部２の外縁の外側のΔｐと内側のΔｃの範囲では、グランド電極２ｃの上方および放射電極２ａの下方ともにΔｅ＝０．５／１００波長以上のクリアランスが必要である。Δｃ、Δｅともに１／１００波長以上にとるのが好ましい。なお、放射電極２ａの下方には、通常はアンテナ部２に比較して小さい電池１８があり上記条件は自然に満たされるため、ΔｐとΔｃ、Δｅを図示していない。また同様に、同図の右側、すなわち楕円８１内でもΔｃ、Δｅの図示を省略した。この３方向のクリアランスの中では、特にΔｐの影響が大きく、Δｐ≦２／１００波長とすることが重要である。また、極端な小型化への要請や機器の外装デザイン上の制約から、縦横比の大きな長方形のアンテナ部２によって直線偏波の受信を行う場合には、少なくとも長方形の短辺において上記のクリアランスをとることが必要である。
【００４４】
電子腕時計１において、アンテナ部２と液晶パネル部４と配線基板２０との外形状をほぼ同じにできれば、実装上最も効率が良い。本実施形態のアンテナ部２を本実施形態の実装構造で用いれば、アンテナ部２と液晶パネル部４と配線基板２０とを同じ形状にしても、上記クリアランスを容易に確保することができ、実装効率が良く、しかも受信性能の良い電子腕時計１を実現することができる。即ち、アンテナ部２と液晶パネル部４と配線基板２０との外形形状をほぼ同じにしても、アンテナ部２は、アンテナ部２の外縁において、液晶パネル部４や配線基板２０の影響をほとんど受けることなく、磁流２ｅ、２ｈ、２ｆ、２ｇ（図５（ａ））を形成することができる。これにより、アンテナ部２は、受信部としてＧＰＳ衛星９０からの電波を確実に受信することができる。これは、アンテナ部２が液晶パネル部４の外形状より大きい場合、即ちΔｐ＜０においても、また、アンテナ部２が液晶パネル部４より小さい場合でも、Δｐ≦２／１００波長ならば、ほぼ同様なことが言える。
【００４５】
以上説明したように、本実施形態の電子腕時計１において、各構成要素は、表面側から液晶パネル部４、配線基板２０、アンテナ部２、電池１８、そして腕８の順に配置されていることになる。このような構成の電子腕時計１では、液晶パネル部４と配線基板２０が近接して配置され、液晶パネル部４と配線基板２０とを接続するフレキシブル基板４ｎは、アンテナ部２の側面を通ることがないため、アンテナ部２がフレキシブル基板によって覆われてしまうなどの悪影響を受け難く、受信性能の向上が図れる。また、液晶パネル部４は、配線基板２０上に形成された導体部で最も面積の大きい接地電位によって、アンテナ部２から遮蔽される。このため液晶パネル部４によって発生される雑音がアンテナ部２に到達するのを防ぎ、良好な受信性能が確保できる。
【００４６】
さらに、アンテナ部２では、グランド電極２ｃが配線基板２０の側にあり、放射電極２ａは、スルーホールを通して配線基板２０側の受給電点４ｋに引き出されている。そのため、アンテナ部２と配線基板２０との接続が容易な構成となっている。また、グランド電極２ｃには、配線基板２０の接地電位が接続され、これによってグランド電極２ｃは、配線基板２０上で背の高いシールド部２１や配線基板２０上で広い面積を占有している接地電位と同電位となり、配線基板２０、特に配線基板２０上のシールド部２１とグランド電極２ｃとを接近して置いても、その影響が少なく良好な受信性能を確保できる。そして、受信信号を入力する信号端子３６（図４）が接続される放射電極２ａは、雑音を発生しやすい液晶パネル部４から物理的に遠い場所にあり、また両者の間に接地電位が介在する構造となるため、電子腕時計１は、小型化された場合においても、受信性能を維持することができる。また、電池１８は、液晶パネル部４と反対側の最も裏蓋１３に近いところに置かれており、その取替えが容易である。
【００４７】
本実施形態の電子腕時計１は、アンテナ部２の誘電体板２ｂを境界として、それより上（表面側）にあるグランド電極２ｃ、配線基板２０、液晶パネル部４のグループ１と、それより下にある放射電極２ａ、電池１８のグループ２の２つに分けることができる。そして、それらのグループ内で各要素は、受信周波数において同電位となる。即ち、受信周波数において、グループ１の各要素は、配線基板２０の接地電位であり、グループ２の各要素、さらに良導体である腕８は、受信モジュール３０にある信号端子３６の電位となる。電池の電位は、ＤＣでは配線基板２０の接地電位と考えられるが、受信周波数帯域ではフィルター１７によって分離され、また放射電極２ａと電池１８間の容量結合によって信号端子３６の電位となる。このように、本実施形態の構造は、アンテナ部２の誘電体板２ｂによって、はっきりと電位が分離されるので、アンテナ部２に近接する部品によるアンテナ特性への悪影響が排除できる。さらに、裏蓋１３を金属等の導電性のある導電体の形態にすれば、良導体である人体の皮膚を接地電位にとることができ、アンテナ部２の電気的なサイズが広がって、アンテナの特性がより改善される。なお、上に述べたとおり放射電極２ａとグランド電極２ｃは、ほぼ同じ形であり、どちらを放射電極と呼ぶかは便宜的なものである。これは、アンテナ部２の外形形状によっての呼称である。アンテナとしての動作でみると、人体を含むグループ２をグランド電極、グループ１を放射電極と考えても良い。
（実施形態２）
【００４８】
次に、アンテナ部の他の形態について説明する。図６は、実施形態２の電子腕時計の構成を示す断面図である。実施形態２では、アンテナ部２および配線基板２０の向きおよび位置が実施形態１の場合とは異なっている。以下では、実施形態２における電子腕時計１００を構成する部品において、機能が同一なものには実施形態１と同一符号を付与して説明を省略し、実施形態１と異なる部分についてのみ説明する。
【００４９】
本実施形態の電子腕時計１００では、ガラス１２の側から、液晶パネル部４、アンテナ部２、配線基板２０、電池１８、裏蓋１３の順に配置する。アンテナ部２の放射電極２ａは、液晶パネル部４に対向するように置かれ、誘電体板２ｂに空けられたスルーホールを通して受給電点４ｋがグランド電極２ｃ側に引き出されている。受給電点４ｋは、同軸ケーブル２５の芯線に接続し、グランド電極２ｃの受給電点４ｋ近傍には、同軸ケーブル２５の外皮を接続する。同軸ケーブル２５の外皮は、受給電点４ｋを囲むように接続しても良い。そして、同軸ケーブル２５の他端、すなわち配線基板２０と接続される側においては、コネクター２６を通して、同軸ケーブル２５の芯線が受信モジュール３０の信号端子３６に、外皮が配線基板２０の接地電位に接続される。すなわち、受給電点４ｋは、同軸ケーブル２５によって受信モジュール３０の信号端子３６に接続されている。
【００５０】
液晶パネル部４と配線基板２０上にある駆動回路４４とは、フレキシブル基板４ｎを介して接続される。図６では、フレキシブル基板４ｎは、配線基板２０のアンテナ部２と反対側の面で接続されているが、アンテナ部２に面した面で接続しても良い。ただし、フレキシブル基板４ｎとアンテナ部２の外縁とのクリアランスが必要である。
【００５１】
また、この他にシミュレーションによって以下に述べるようなクリアランス量が必要であることが確認されている。図６を使ってクリアランスについて説明する。アンテナ部２の外縁から平面方向の外側に距離Δｐおよび外縁から平面方向の内側に距離Δｃ、また、アンテナ部２からの高さ方向にΔｅ（図ではアンテナ部２の放射電極２ａと液晶パネル部４上の導体部である画素電極４ｄとの間のクリアランスΔｅ1、アンテナ部２のグランド電極２ｃと配線基板２０上の導体部とのクリアランスΔｅ2に分離して表示）の範囲には、金属等の導電物を置いてはいけない。この範囲に導電物があると、アンテナ性能が著しく劣化する。ここでΔｐとΔｃ、Δｅ（Δｅ1、Δｅ2の両方とも）の具体的な値は、それぞれ受信する電波の波長の２／１００以下、０．５／１００以上、０．５／１００以上である。即ち、アンテナ部２の放射電極２ａまたはグランド電極２ｃの小さいほうの外縁とそれに重ねて置かれる配線基板２０や液晶パネル部４の大きいほうの外縁との距離Δｐは、受信する電波の波長の２／１００以下にする必要がある。好ましくは、Δｐ＝０または図２の楕円８１内のΔｐ1のように、Δｐ≦０となるよう配置する。特にΔｐ＝０とするのが実装効率上最も望ましい。また、フレキシブル基板４ｎは、アンテナ部２の外縁からΔｆ＝２／１００波長以上離す必要がある。
【００５２】
さらに、アンテナ部２の外縁の外側のΔｐと内側のΔｃの範囲では、グランド電極２ｃの上方および放射電極２ａの下方ともにΔｅ＝０．５／１００波長以上のクリアランスが必要である。Δｃ、Δｅともに１／１００波長以上にとるのが好ましい。この３方向のクリアランスの中では、特にΔｐの影響が大きく、Δｐ＜２／１００波長とすることが重要である。アンテナ部２の形状が極端な概長方形で直線偏波対応の場合は、少なくともアンテナ部２の短辺からΔｐ＜２／１００波長のクリアランスを必要とする。
【００５３】
本実施形態の電子腕時計１００における配置では、液晶パネル部４と放射電極２ａとは、密着して置くことが可能であり、上記クリアランスΔｅの確保が困難と思われるかもしれない。しかしながら、液晶パネル部４の背面は、図３（ｂ）にみるようにシール材４ｃで囲われる面積の内部のみ照らせばよい光源部４ｊや透明基板４ａのように導電性のないもので構成されるので、Δｅは容易に確保できる。また、電池１８は、裏蓋１３のすぐ内側に配置されているので、電池の交換が容易である。しかも、この配置であれば、アンテナ部２の動作に影響しない。
【００５４】
このような電子腕時計１００における配置および接続によれば、アンテナ部２が腕から離れた位置に配置される。これによって、電子腕時計１００を腕に装着したときに受ける腕の影響の度合いを軽減することができる。しかも、放射電極２ａが腕と反対側に置かれ、グランド電極２ｃが腕側に置かれることになるため、液晶パネル部４、配線基板２０、電池１８は、動作周波数においては配線基板２０の接地電位に等しい。これによって、グランド電極２ｃは、アンテナ部２の誘電体板２ｂを境に、それより下のグランド電極２ｃ、配線基板２０の接地電位、電池１８は、すべて配線基板２０の接地電位に等しくなる。さらに、これらは、腕８と電池１８間の容量を通じて同電位となり大きな接地面を形成する。また、放射電極２ａは、天頂方向（電子腕時計１００の表面側方向）を向いており、大きな接地面とあわせて効率の良いアンテナ動作が得られる。そして、裏蓋１３を金属等の導電性を有する導電体で形成すれば、接地面は、さらに効率よく形成することができ性能を向上させることができる。
【００５５】
本実施形態の電子腕時計１００は、実施形態１の電子腕時計１に比較すると、グランド電極２ｃが腕と同じ電位となっていて、より自然な形態である。しかし、放射電極２ａが液晶パネル部４に隣接しており、液晶パネル部４からのノイズの影響は受けやすい。さらに液晶パネル部４は、配線基板２０の接地電位であり、放射電極２ａは、接地電位に囲まれた配置となる。しかしながら、液晶パネル部４の駆動に使うクロックの周波数をうまく選べばノイズの影響は排除できる。即ちクロック周波数の高調波が電子腕時計１００の受信周波数に一致しないように選べばよい。また液晶パネル部４が接地電位で放射電極２ａを隠蔽することについては、本実施形態のアンテナ部２の構造では、上記に説明したとおり、その辺縁に流れる磁流を隠蔽しなければ、つまり上記に説明したクリアランスを確保すれば、アンテナ性能を著しく劣化させることはない。以上述べたように、本実施形態のこの構成によれば、腕などに装着したときの人体からの影響が少なく安定して動作する電子腕時計１００を、コンパクトにまとめることができる。
【００５６】
以上説明した電子装置である電子腕時計１，１００は、上記の各実施形態に限定されるものではなく、次に挙げる変形例のような形態であっても、各実施形態のいずれかと同様な効果が得られる。
【００５７】
（変形例１）電子腕時計１，１００のアンテナ部２および液晶パネル部４は、矩形形状をなしている形態であるが、この形態に限定されることなく、円形や楕円形、その他ひし形や平行四辺形、多角形等をなす形態であっても良く、矩形形状の場合と同様に機能する。
【００５８】
（変形例２）アンテナ部２の切欠部４ｐは、三角形の形状に限定されず、外縁からアンテナ部２の内部方向へ向かって凹状に形成された形状や、外縁から凸状に突起した形状等であっても良い。これにより、アンテナ部２は、電子腕時計１，１００のデザイン形状等に対応して、融通性のある設定が可能である。
【００５９】
（変形例３）アンテナ部２と受信モジュール３０の信号端子３６との接続は同軸ケーブル２５に限らない。リード線、コプレナーガイド、マイクロストリップライン、レッヘル線路等も用いることができる。
【００６０】
（変形例４）電子装置としては、電子腕時計１，１００に限らず、アンテナ部２を有する、トラベルクロック、懐中時計および携帯型電子機器に付属する時計類も該当し、さらに、時計機能を有していない携帯端末等に適用することも可能である。例えば、人体に装着して生体情報を収集し、その収集したデータを無線通信によって外部のコンピューターなどに送信する健康管理システムや、野生動物の生態観察のために動物に装着しその生体情報を収集する装置等にも応用が可能である。
【００６１】
（変形例５）表示体部は、液晶パネル部４に限定されるものではなく、液晶以外による表示を用いたものであっても良く、例えば、有機ＥＬ（有機エレクトロルミネッセンス）やＥＰＤ（Electro  Phoretic  Display）等が挙げられる。さらには針および文字盤と針を駆動するステップモーターおよび輪列によって構成されるアナログ時計の表示も採用することができる。
【符号の説明】
【００６２】
１…電子装置としての電子腕時計、２…アンテナ部、２ａ…第２導電層としての放射電極、２ｂ…誘電体としての誘電体板、２ｃ…第１導電層としてのグランド電極、４…表示体部としての液晶パネル部、４ｋ…受給電点、４ｎ…フレキシブル基板、４ｐ…切欠部、４ｔ…トリミング部、８…腕、１１…外装ケース、２０…配線基板、２５…同軸ケーブル、３０…受信モジュール、４０…制御部、９０…ＧＰＳ衛星、１００…電子装置としての電子腕時計。
【図１】
2013247598.tif 000003
【図２】
2013247598.tif 000004
【図３】
2013247598.tif 000005
【図４】
2013247598.tif 000006
【図５】
2013247598.tif 000007
【図６】
2013247598.tif 000008